(57)【特許請求の範囲】
【請求項１】
クローゼット１のドア２を閉鎖状態でロックするロック機構９であって、該ロック機構９は、
該ドア２側に設けられた操作部１０と、該ドア２側に配設され該操作部１０の操作により上下動可能なラッチピン４と、該ドア２の下部に設けられ該ラッチピン４の下端部２１が出没可能に臨むと共に該ドア２の裏面側に開口２２を備えた溝穴空間１１と、
クローゼット本体５の下部の前側立ち上がり部６に付設され、略逆Ｌ字状をなし、下端部２３が、該前側立ち上がり部６に固定されると共に、上端部２４が、閉鎖状態の該ドア２の溝穴空間１１内に該開口２２を介し嵌入可能な位置および大きさよりなるブラケット１２と、
該ブラケット１２の上端部２４に穿設され、該操作部１０にて降下せしめられた該ラッチピン４の下端部２１を、該溝穴空間１１内において挿入，係止可能な位置および大きさよりなるロック穴１３と、を有してなり、
該溝穴空間１１は、該ドア２下に固定されたアルミ型材により形成され、該ドア２内の空間とは区画された独立空間とされており、該溝穴空間１１の開口２２は、該ドア２の裏面側に部分的に形成されており、
該前側立ち上がり部６は、板状をなし、クローゼット本体５の前面下部に立設され、もってクローゼット本体５の内外を区画しており、又、該ドア２は、閉鎖状態において、該前側立ち上がり部６上に略面一に位置し、
かつコートロッド１４が、クローゼット本体５の内部の頂面下に架設されており、ハンガー等を利用してコートＢ等の収納体が、吊り下げられるようになっており、
該ドア２の閉鎖状態において、該ラッチピン４の下端部２１が該ロック穴１３に挿入，係止されることにより、該ドア２がロックされるが、他方、該ドア２を閉鎖せんとする際に、該ドア２の下部と該クローゼット本体５側の該ブラケット１２との間に、該クローゼット本体５内に収納されたコートＢ等の収納体の下部Ｃが挟まった場合には、該下部Ｃが邪魔となって、該ブラケット１２の上端部２４の該開口２２から該溝穴空間１１内への嵌入が不能となり、該ドア２が閉鎖不能そしてロック不能となること、を特徴とするクローゼットのドアのロック機構。
【発明の詳細な説明】
【０００１】
【発明の属する技術分野】
本発明は、クローゼットのドアのロック機構に関する。すなわち、コート等を収納するクローゼットにおいて、ドアを閉鎖状態でロックする、ロック機構に関するものである。
【０００２】
【従来の技術】
図３は、この種従来例のクローゼットのドアのロック機構の要部を示す側断面図であり、ドアの閉鎖状態において、コートの下部が挟まった状態を示す。
同図にも示したように、クローゼット１のドア２を閉鎖状態でロックするロック機構３は、従来、ドア２の表面側に設けられたハンドル等の操作部（図示せず）と、ドア２側に配設され操作部の操作により上下動可能なラッチピン４と、クローゼット本体５の下部の前側立ち上がり部６の上端面に形成されたロック穴部７と、からなっていた。
そして図示したように、ドア２の閉鎖状態において、操作部を操作してラッチピン４を降下させることにより、ドア２の下端から露出したラッチピン４の下端部８が、クローゼット本体５側のロック穴部７に、上から挿入，係止され、もって、ドア２が閉鎖状態でロックされるようになっていた。
なお、図中Ａは荷物であり、この荷物Ａは、クローゼット本体５の前側立ち上がり部６等により外部と区画された内部の床上に、載置，収納されていた。
【０００３】
【発明が解決しようとする課題】
ところで、このような従来例にあっては、次の問題が指摘されていた。すなわち図３に示したように、ドア２を閉鎖状態とした際、収納されたコートＢ等の下部Ｃが、ドア２下部とクローゼット本体５の前側立ち上がり部６上端との間のクリアランスに、挟まってしまうことが、多々ある。
そして、このようにコートＢ等の下部Ｃが挟み込まれたまま、この種従来例のロック機構３により、ドア２を閉鎖状態でロックすると、挟み込まれたコートＢ等の下部Ｃが、降下してきたラッチピン４の下端部８にて、ロック穴部７側に押し付けられ、もって貫通されて穴があくこともある等、損傷事故が発生していた。
このように、この種従来例では、コートＢ等の下部Ｃを挟んでもドア２が閉鎖状態となり、通常、下方まで目視するのが困難であることも相俟って、そのまま、ロック機構３にてドア２をロックしてしまうことが多く、もってラッチピン４の下端部８により、コートＢ等の下部Ｃが貫通されてしまう等の損傷事故が発生しやすく、問題となっていた。
【０００４】
本発明は、このような実情に鑑み、上記従来例の課題を解決すべくなされたものであって、ドアの下部に、ラッチピンの下端部が臨むアルミ型材製の溝穴空間を設けると共に、コート等の収納体が吊り下げられるクローゼット本体の下部の板状をなす前側立ち上がり部に、溝穴空間内にその開口から嵌入可能なブラケットを付設して、このブラケットに、ラッチピンの下端部を挿入，係止可能なロック穴を穿設したことを、特徴とする。
もって本発明は、第１に、コート等の下部が挟まった場合に、ドアが閉鎖不能そしてロック不能となり、もってラッチピンの下端部による、コート等の下部の損傷事故が防止され、第２に、しかもこれが簡単容易に実現される、クローゼットのドアのロック機構を提案することを目的とする。
【０００５】
【課題を解決するための手段】
このような課題を解決する本発明の技術的手段は、次のとおりである。すなわち、このクローゼットのドアのロック機構は、クローゼットのドアを閉鎖状態でロックするものである。そして、次の操作部，ラッチピン，溝穴空間，ブラケット，ロック穴、等を有してなる。
すなわち、ドア側に設けられた操作部と、該ドア側に配設され該操作部の操作により上下動可能なラッチピンと、該ドアの下部に設けられ該ラッチピンの下端部が出没可能に臨むと共に該ドアの裏面側に開口を備えた溝穴空間と、クローゼット本体の下部の前側立ち上がり部に付設され、略逆Ｌ字状をなし、下端部が、該前側立ち上がり部に固定されると共に、上端部が、閉鎖状態の該ドアの溝穴空間内に該開口を介し嵌入可能な位置および大きさよりなるブラケットと、該ブラケットの上端部に穿設され、該操作部にて降下せしめられた該ラッチピンの下端部を、該溝穴空間内において挿入，係止可能な位置および大きさよりなるロック穴と、を有してなる。
そして該溝穴空間は、該ドア下に固定されたアルミ型材により形成され、該ドア内の空間とは区画された独立空間とされている。該溝穴空間の開口は、該ドアの裏面側に部分的に形成されている。
該前側立ち上がり部は、板状をなし、クローゼット本体の前面下部に立設され、もってクローゼット本体の内外を区画している。又、該ドアは、閉鎖状態において、該前側立ち上がり部上に略面一に位置している。
かつコートロッドが、クローゼット本体の内部の頂面下に架設されており、ハンガー等を利用してコート等の収納体が、吊り下げられるようになっている。
そこで、該ドアの閉鎖状態において、該ラッチピンの下端部が該ロック穴に挿入，係止されることにより、該ドアがロックされる。他方、該ドアを閉鎖せんとする際に、該ドアの下部と該クローゼット本体側の該ブラケットとの間に、該クローゼット本体内に収納されたコート等の収納体の下部が挟まった場合には、該下部が邪魔となって、該ブラケットの上端部の該開口から該溝穴空間内への嵌入が不能となり、該ドアが閉鎖不能そしてロック不能となること、を特徴とする。
【０００６】
このクローゼットのドアのロック機構は、このようになっている。そこで、ドアの閉鎖状態においては、ドア側の溝穴空間内に、クローゼット本体側のブラケットの上端部が、開口を介して嵌入される。そして、ドア側の操作部を操作することにより、溝穴空間内において、ラッチピンの下端部が降下して、ブラケットの上端部のロック穴に、挿入，係止され、もってドアが閉鎖状態でロックされる。
これに対し、ドアを閉鎖せんとする際に、ドアの下部とクローゼット本体側のブラケットとの間に、収納されたコート等の収納体の下部が、挟まった場合は、次のようになる。
【０００７】
この場合には、挟まって介在位置するコート等の収納体の下部の存在により、これが邪魔となって、ドア側の溝穴空間内に対し、クローゼット本体側の収納体のブラケット上端部が、嵌入不能となる。
このように、溝穴空間内へのブラケット上端部の嵌入が阻止されるので、クローゼット本体に対しドアが閉鎖不能となる。勿論この場合に、操作部を操作して、ラッチピン下端部を溝穴空間内で降下させても、溝穴空間内にブラケット上端部は嵌入されておらず、ロック穴も位置しないので、ドアがロック不能となる。
そして、このようなドアの閉鎖不能，ロック不能は、操作者に容易に認識され、もって、挟まっていたコート等の収納体の下部を、クローゼット本体内に確実に収納し直すことにより、つまりコート等の収納体の下部を、挟まらないように直すことにより、ドアは、閉鎖状態とされロックされる。
このようにして、このクローゼットのドアのロック機構によると、ドアの閉鎖に際して挟まったコート等の収納体の下部が、降下したラッチピン下端部にて、ロック穴に押し付けられたり貫通されて穴があく等の損傷事故は、確実に防止される。
【０００８】
【発明の実施の形態】
以下本発明を、図面に基づいて詳細に説明する。図１，図２は、本発明の実施の形態の説明に供し、図１は要部の斜視図である。図２は要部の側断面図であり、（１）図は、ドアの閉鎖状態を示し、（２）図は、コートの下部が挟まった状態を示す。
なお、図４はクローゼットの説明に供し、（１）図は、その全体斜視図、（２）図は、その連動機構等の１例の正面説明図である。
【０００９】
このクローゼット１のドア２のロック機構９は、クローゼット１のドア２を閉鎖状態でロックするものである。そして、次の操作部１０，ラッチピン４，溝穴空間１１，ブラケット１２，ロック穴１３、等を有してなる。以下、これらにつて詳述する。
【００１０】
まず、図４の（１）図によりクローゼット１について概説する。このクローゼット１は、例えば航空機の機内において使用され、乗客のコートを預かって収納，保管するために用いられる。
そしてクローゼット１は、クローゼット本体５とドア２とから構成されている。クローゼット本体５は、頂面，側面，背面，底面等を備えた箱状をなし、内部の頂面下にコートロッド１４が架設されており、このコートロッド１４に、ハンガー等を利用してコートＢ等の収納体が吊り下げられる。
又、クローゼット本体５の下部には、前側立ち上がり部６が設けられており、この前側立ち上がり部６は、板状をなし、クローゼット本体５の前面下部に立設され、もって、クローゼット本体５の内外を区画している。そして、前側立ち上がり部６にて区画されたクローゼット本体５の内部の底面上に、荷物Ａが載置，収納されるようになっている（図３も参照）。そこで、航空機が飛行中等に水平状態から傾いたり揺れたりした場合においても、クローゼット本体５の底面上に載置，収納された荷物Ａが、前側立ち上がり部６にて保持され、外部に飛び出さないようになっている。
ドア２は、このようなクローゼット本体５の開放された前面に、ヒンジを介し前後に開閉可能に組み付けられている。そしてドア２は、閉鎖状態において、クローゼット本体５の開放された前面を閉鎖すると共に、前側立ち上がり部６上に、若干の上下クリアランスを存しつつ、略面一に位置する。クローゼット１は、概略このようになっている。
【００１１】
そして、このようなクローゼット１のドア２のロック機構９は、まず、図１，図２，図４中に示したように、ドア２側に設けられた操作部１０と、ドア２側に配設され操作部１０の操作により上下動可能なラッチピン４と、を有してなる。図４に示した例において、操作部１０は、ドア２の表面中央に設けられたターン式の回転ハンドルよりなる。ラッチピン４は、ドア２の中空部内において、操作部１０の位置から上下に配設された、２本のロッドよりなり、それぞれ、縦に保持されると共に上下動可能となっている。
そしてラッチピン４は、操作部１０の操作により昇降し、上側のラッチピン４は、上端部が、ドア２の上部から露出，上昇した状態つまり図４の（１）図に示した状態と、ドア２内に降下，収納された状態とに、上下動可能となっている。下側のラッチピン４は、後で詳述するように、下端部が溝穴空間１１に対し出没するようになっている。
【００１２】
ここで、操作部１０と両ラッチピン４間に配された連動機構１５の１例について、図４の（２）図により概説しておく。この図４の（２）図に示された連動機構１５では、略円形の回転ハンドルよりなる操作部１０の裏面に、略ハート形の回動体１６が一体的に固定されており、操作部１０と回動体１６は、固定ピン１７を中心に一体的に左右に回動可能となっている。
回動体１６の端部には、リンク１８の一端が回動ピン１９にて取り付けられており、リンク１８の他端に、回動体２０の突出した中央端部が回動ピン１９にて取り付けられている。回動体２０は、固定ピン１７を中心に左右に回動可能であると共に、略山字状をなし、中央端部の両側に突出した左右端部が形成されており、このような左右端部に、それぞれ、前述した上側のラッチピン４の下端部と下側のラッチピン４の上端部とが、回動ピン１９にて取り付けられている。
もって、図中想像線にて矢示したように、操作部１０そして回動体１６を回動することにより、リンク１８を介し回動体２０が同方向に回動し、もって、上下のラッチピン４が、それぞれ降下，上昇又は上昇，降下するようになっている。
【００１３】
なお第１に、この図４の（２）図に示した連動機構１５は、１例を示すに過ぎず、操作部１０によりラッチピン４を上下動させる連動機構としては、その他各種の公知のものを利用可能である。
なお第２に、ドア２の閉鎖状態において、上昇せしめられた上側のラッチピン４の上端部が、挿入，係止されたロック穴部が、クローゼット本体５の頂面の前端に形成されている（図示せず）。
なお第３に、本発明のロック機構９にあっては、このような図示例によらず、下側のラッチピン４のみを備え、上側のラッチピン４を具備しないタイプのものも可能である。操作部１０やラッチピン４は、このようになっている。
【００１４】
次に、このロック機構９は、図１，図２に示したように、ドア２の下部に設けられ、下側のラッチピン４の下端部２１が出没可能に臨むと共に、ドア２の裏面側に開口２２を備えた溝穴空間１１を、備えてなる。
すなわち溝穴空間１１は、ドア２下部の下端付近について、その左右方向の自由端寄りに部分的に形成された小空間よりなる。図２に示した例において、溝穴空間１１は、ドア２下に固定されたアルミ型材により形成され、ドア２内の空間とは区画された独立空間とされている。
そして、この溝穴空間１１内に、下側のラッチピン４の下端部２１が出没可能に臨んでおり、このラッチピン４の下端部２１は、溝穴空間１１内に露出，降下された状態と、上方に収納，上昇された状態とに、変位可能となっている。又、この溝穴空間１１は、ドア２の裏面側に部分的に開口２２が形成されている。溝穴空間１１は、このようになっている。
【００１５】
更に、このロック機構９は、図１，図２に示したように、ブラケット１２を備えてなる。
すなわちブラケット１２は、クローゼット本体５の下部の前側立ち上がり部６に付設され、略逆Ｌ字状をなし、下端部２３が、前側立ち上がり部６に固定されると共に、上端部２４が、閉鎖状態のドア２の溝穴空間１１内に開口２２を介し嵌入可能な位置および大きさよりなる。
【００１６】
このようなブラケット１２について、更に詳述すると、ブラケット１２は縦断面が略逆Ｌ字状をなし、縦の下端部２３と横の上端部２４とが一体設されてなる。そしてブラケット１２の縦の下端部２３は、その下部が、クローゼット本体５の前側立ち上がり部６の内面に、ネジ止め固定されており、その上部が、前側立ち上がり部６上に突出している。
ブラケット１２の横の上端部２４は、このように突出した下端部２３の上部から、外部に向け折曲されており、前側立ち上がり部６の肉厚にほぼ見合った幅寸法を備え、前側立ち上がり部６上を間隔を存しつつ覆っている。
そして、このブラケット１２の上端部２４は、ドア２が閉鎖された場合に、ドア２側の溝穴空間１１内に開口２２から嵌入される、高さ位置，肉厚，幅寸法，長さ寸法等よりなる。
つまり、溝穴空間１１側の開口２２は、このブラケット１２の上端部２４の高さ位置，肉厚，幅寸法，長さ寸法等にほぼ見合った大きさよりなる。又、溝穴空間１１は、ブラケット１２の上端部２４が、その上下の中央付近にほぼ全体的に嵌入される横スペースを備えてなると共に、上下に十分な余裕が存する縦スペースを備えてなる。溝穴空間１１は、このようになっている。
【００１７】
更に、このロック機構９は、ロック穴１３を備えてなる。図１，図２に示したように、このロック穴１３は、ブラケット１２の上端部２４に穿設され、操作部１０にて降下せしめられた下側のラッチピン４の下端部２１を、溝穴空間１１内において挿入，係止可能な位置および大きさよりなる。
すなわちロック穴１３は、ブラケット１２の横の上端部２４について、縦に穿設された貫通穴よりなり、ラッチピン４に見合った径の例えば円形よりなる。そして、ドア２の閉鎖状態において、ラッチピン４の下端部２１が溝穴空間１１内に降下せしめられると、この下端部２１が貫挿され、横方向にこれを係止可能となっている。ロック穴１３は、このようになっている。
【００１８】
もって、このロック機構９にあっては、図２の（１）図に示したように、ドア２の閉鎖状態において、ラッチピン４の下端部２１がロック穴１３に挿入，係止されることにより、ドア２が開閉不能にロックされる。
これに対し、図２の（２）図に示したように、ドア２を閉鎖せんとする際において、ドア２の下部とクローゼット本体５側のブラケット１２との間に、クローゼット本体５内に収納されたコートＢ等の収納体の下部Ｃが挟まった場合には、ドア２が閉鎖不能そしてロック不能となる。
【００１９】
本発明に係るクローゼット１のドア２のロック機構９は、以上説明したように構成されている。そこで以下のようになる。
まず、ドア２の閉鎖状態においては、ドア２の下部の溝穴空間１１内に、クローゼット本体５の下部の前側立ち上がり部６に付設されたブラケット１２の上端部２４が、開口２２を介して嵌入される。
そして、ドア２側の操作部１０を操作することにより、（なお通常は、その直前にラッチピン４の下端部２１を上昇させるための操作部１０の操作が行われる）、溝穴空間１１内において、ラッチピン４の下端部２１が降下して、ブラケット１２の上端部２４に穿設されたロック穴１３に、挿入，係止される。このようにして、ドア２が閉鎖状態でロックされる（図２の（１）図を参照）。
【００２０】
これに対し、ドア２を閉鎖せんとする際に、ドア２の下部側の溝穴空間１１の開口２２と、クローゼット本体５側のブラケット１２との間に、クローゼット本体５内に収納されたコートＢ等の下部Ｃが、挟まった場合は、次のようになる。すなわち、この場合には、挟まって介在位置するコートＢ等の下部Ｃの存在により、ドア２側の溝穴空間１１内に対し、クローゼット本体５側のブラケット１２の上端部２４が、嵌入不能となる（図２の（２）図を参照）。
このように、溝穴空間１１内へのブラケット１２の上端部２４の嵌入が阻止されるので、クローゼット本体５に対しドア２が閉鎖不能となる。勿論このような場合に、ドア２側の操作部１０を操作して、ラッチピン４の下端部８を溝穴空間１１内で降下させても、溝穴空間１１内にブラケット１２の上端部２４は嵌入されておらず、溝穴空間１１内にロック穴１３は位置しないので、ラッチピン４の下端部２１のロック穴１３への挿入，係止は行われず、ドア２のロックも不能となる。
【００２１】
そして、このようなドア２の閉鎖不能，ロック不能は、下方まで目視するのが困難な操作者にあっても、感覚的に容易に認識され、もって、挟まっていたコートＢ等の下部Ｃを、クローゼット本体５内に確実に収納し直すことにより、つまり挟まらないように直すことにより、ドア２は、前述により閉鎖状態とされロックされるようになる。
なお事後、ドア２を閉鎖状態から開放する際は、まず、操作部１０にてラッチピン４を溝穴空間１１から上昇させて、ロック穴１３への挿入，係止を解除させ、もってロックを解除させた後、ドア２を外部へと開放させる。
さてそこで、このクローゼット１のドア２のロック機構９によると、次の第１，第２のようになる。
【００２２】
第１に、上述したように、ドア２を閉鎖せんとした際に、ドア２の下部とクローゼット本体５側のブラケット１２との間に、コートＢ等の下部Ｃが挟まった場合は、これが邪魔となって、ドア２側の溝穴空間１１内にクローゼット本体５側のブラケット１２の上端部２４が、嵌入不能となる。もって、ドア２は閉鎖不能となり、ドア２のロックも不能となる。
そこで、例えロック機構９のラッチピン４の下端部２１が溝穴空間１１内に降下されても、ドア２は閉鎖されておらず、ロック穴１３との係合も行われない。このように、ラッチピン４の下端部２１は、溝穴空間１１外に出ることはなく、溝穴空間１１外で挟まったコートＢ等の下部Ｃが、ロック機構９の降下したラッチピン４の下端部２１にて損傷する事故は、確実に防止される。
【００２３】
第２に、しかもこのロック機構９は、従来より用いられている操作部１０やラッチピン４（図４を参照）を利用しつつ、これに付加して、ドア２側に溝穴空間１１を設けると共に、クローゼット本体５側に、ロック穴１３付のブラケット１２を付設してなる。
つまり、このロック機構９は、簡単な構成よりなり、上述した第１のコートＢ等の損傷防止は、容易に実現される。
【００２４】
【発明の効果】
本発明に係るクローゼットのドアのロック機構は、以上説明したように、ドアの下部に、ラッチピンの下端部が臨むアルミ型材製の溝穴空間を設けると共に、コート等の収納体が吊り下げられるクローゼット本体の下部の板状をなす前側立ち上がり部に、溝穴空間内にその開口から嵌入可能なブラケットを付設して、このブラケットに、ラッチピンの下端部を挿入，係止可能なロック穴を穿設したことにより、次の効果を発揮する。
【００２５】
第１に、コート等の下部が挟まった場合に、ドアが閉鎖不能そしてロック不能となり、もってラッチピンの下端部によるコート等の下部の損傷事故が防止される。
すなわち、このクローゼットのドアのロック機構によると、コート等の収納体の下部が、ドアの下部とクローゼット本体側のブラケットとの間に挟まった場合は、ドアの下部の溝穴空間内にブラケットの上端部が嵌入不能となり、もって、クローゼット本体に対しドアが閉鎖不能となり、ラッチピンを降下させてもロック穴に挿入，係止されず、ロックも不能となる。
そこで、前述したこの種従来例のように、コート等の収納体の下部を挟んだ場合も、ドアが閉鎖可能であり、もってロック機構によるロックに際し、挟まった収納体の下部が、降下したラッチピンにて押し付けられ、貫通されて穴があく等の損傷事故の発生は、確実に防止されるようになる。
【００２６】
第２に、しかもこれは、簡単容易に実現される。すなわち、このクローゼットのドアのロック機構は、従来より用いられている操作部やラッチピンに付加して、ドア側に溝穴空間を設けると共に、クローゼット本体側にロック穴付のブラケットを付設した、簡単な構成よりなり、上述した第１の点が容易に実現される。このように、この種従来例に存した課題がすべて解決される等、本発明の発揮する効果は、顕著にして大なるものがある。
【図面の簡単な説明】
【図１】本発明に係るクローゼットのドアのロック機構について、発明の実施の形態の説明に供し、要部の斜視図である。
【図２】同発明の実施の形態の説明に供する要部の側断面図であり、（１）図は、ドアの閉鎖状態を示し、（２）図は、コートの下部が挟まった状態を示す。
【図３】この種従来例のクローゼットのドアのロック機構の要部を示す側断面図であり、コートの下部が挟まった状態を示す。
【図４】クローゼットを示し、（１）図は、その全体斜視図、（２）図は、その連動機構等の１例の正面説明図である。
【符号の説明】
１  クローゼット
２  ドア
４  ラッチピン
５  クローゼット本体
６  前側立ち上がり部
９  ロック機構
１０  操作部
１１  溝穴空間
１２  ブラケット
１３  ロック穴
２１  下端部
２２  開口
２３  下端部
２４  上端部
Ｂ  コート
Ｃ  下部
【図１】
0003662413.tif 000002
【図２】
0003662413.tif 000003
【図３】
0003662413.tif 000004
【図４】
0003662413.tif 000005